(57)【要約】【課題】音響装置に大きな負荷をかけることなく、簡単に、かつ、正確に、さらに迅速に音声信号に対する調整の補正を行うことができるようにする。【解決手段】スピーカに供給する音声信号に対して所定の調整処理を施すＡＶアンプ装置１が、テスト信号を発生させ、このテスト信号に応じてスピーカから放音されるテスト音声を収音するリスニングポジションの測定マイクロホンＭＣからの収音音声信号の供給を受けて、テスト信号と収音音声信号とをホームサーバ装置２に提供し、ホームサーバ装置２において音響解析と調整パラメータの生成とを行い、生成した調整パラメータをＡＶアンプ装置１に提供して、この調整パラメータに応じてＡＶアンプ装置１において出力する音声信号に対して調整を行うようにする。【選択図】        図２
2004159037.tif 000002
【特許請求の範囲】
【請求項１】
音響調整装置と音響解析装置とが通信路を通じて接続されて形成される自動音響調整システムであって、
前記音響調整装置は、
出力する音声信号に対して所望の調整処理を施す音響調整手段と、
テスト時にテスト信号を発生させるテスト信号発生手段と、
テスト時に目的とする聴取位置に設置され、スピーカから放音される前記テスト信号発生手段からの前記テスト信号に応じたテスト音声を収音するようにするマイクロホンからの収音信号の入力端と、
前記入力端を通じて受け付けた前記収音信号と前記テスト信号とを、前記通信路を通じて前記音響解析装置に提供する測定情報提供手段と、
前記音響解析装置から前記通信路を通じて提供される調整情報を受け付ける調整情報受付手段と、
前記調整情報受付手段を通じて受け付けた前記調整情報に基づいて、前記音響調整手段が調整処理を行うように制御する調整制御手段と
を備え、
前記音響解析装置は、
前記通信路を通じて前記音響調整装置から提供される前記収音信号と前記テスト信号とを受け付ける測定情報受付手段と、
前記測定情報受付手段を通じて受け付けた前記収音信号と前記テスト信号とに基づいて目的とする音響解析を行い、前記音響調整装置に提供する前記調整情報を形成する音響解析手段と、
前記音響解析手段において形成された前記調整情報を前記通信路を通じて前記音響調整手段に提供する調整情報提供手段と
を備えることを特徴とする自動音響調整システム。
【請求項２】
請求項１に記載の自動音響調整システムであって、
前記音響調整装置は、
複数の音声チャンネルを備え、前記テスト信号発生手段において発生させたテスト信号を前記複数の音声チャンネルの内の目的とする音声チャンネルに供給することができるものであり、
前記音響調整手段は、前記複数の音声チャンネル毎の音声信号に対する調整処理を行うことができるものであり、
前記調整制御手段は、前記調整情報に基づいて、前記テスト信号を出力するようにした前記音声チャンネル毎の音声信号に対して調整処理を行うように制御することができるものであることを特徴とする自動音響調整システム。
【請求項３】
請求項１または請求項２に記載の自動音響調整システムであって、
前記音響解析装置は、公衆通信ネットワーク上に設けられ、
前記音響調整装置と前記音響解析装置とを接続する前記通信路は、前記公衆通信ネットワーク上に設けられることを特徴とする自動音響調整システム。
【請求項４】
請求項３に記載の自動音響調整システムであって、
前記音響解析装置は、
前記調整情報の提供に当たり、当該調整情報の提供先に対して課金を発生させる課金手段を備えることを特徴とする自動音響調整システム。
【請求項５】
通信路を通じて接続される音響解析装置からの調整情報に基づいて、出力する音声信号に対する調整処理を行うことが可能な音響調整装置であって、
出力する音声信号に対して所望の調整処理を施す音響調整手段と、
テスト時にテスト信号を発生させるテスト信号発生手段と、
テスト時に目的とする聴取位置に設置され、スピーカから放音される前記テスト信号発生手段からの前記テスト信号に応じたテスト音声を収音するようにするマイクロホンからの収音信号の入力端と、
前記入力端を通じて受け付けた前記収音信号と前記テスト信号とを、前記通信路を通じて前記音響解析装置に提供する解析情報提供手段と、
前記音響解析装置から前記通信路を通じて提供される調整情報を受け付ける調整情報受付手段と、
前記調整情報受付手段を通じて受け付けた前記調整情報に基づいて、前記音響調整手段が調整処理を行うように制御する調整制御手段と
を備えることを特徴とする音響調整装置。
【請求項６】
請求項５に記載の音響調整装置であって、
複数の音声チャンネルを備え、前記テスト信号発生手段において発生させたテスト信号を前記複数の音声チャンネルの内の目的とする音声チャンネルに供給することができるものであり、
前記音響調整手段は、前記複数の音声チャンネル毎の音声信号に対する調整処理を行うことができるものであり、
前記調整制御手段は、前記調整情報に基づいて、前記テスト信号を出力するようにした前記音声チャンネル毎の音声信号に対して調整処理を行うように制御することができるものであることを特徴とする音響調整装置。
【請求項７】
請求項５または請求項６に記載の音響調整装置であって、
前記音響解析装置は、公衆通信ネットワーク上に設けられており、
前記音響調整装置と前記音響解析装置とを接続する前記通信路は、前記公衆通信ネットワーク上に設けられることを特徴とする音響調整装置。
【請求項８】
テスト信号を発生させてスピーカに供給するとともに、前記スピーカから放音される前記テスト信号に応じたテスト音声を収音する目的聴取位置のマイクロホンからの収音信号の供給を受けて、前記テスト信号と前記収音信号とを外部機器に供給可能な音響調整装置と所定の通信路を通じて接続される音響解析装置であって、
前記通信路を通じて前記音響調整装置から提供される前記収音信号と前記テスト信号とを受け付ける測定情報受付手段と、
前記測定情報受付手段を通じて受け付けた前記収音信号と前記テスト信号とに基づいて目的とする音響解析を行い、前記音響調整装置の音響調整を制御するようにするための調整情報を形成する音響解析手段と、
前記音響解析手段において形成された前記調整情報を前記通信路を通じて前記音響調整手段に提供する調整情報提供手段と
を備えることを特徴とする音響解析装置。
【請求項９】
請求項８に記載の音響解析装置であって、
公衆通信ネットワーク上に設けられ、
前記音響調整装置との前記通信路は、前記公衆通信ネットワーク上に設けられることを特徴とする音響解析装置。
【請求項１０】
請求項９に記載の音響解析装置であって、
前記調整情報の提供に当たり、当該調整情報の提供先に対して課金を発生させる課金手段を備えることを特徴とする音響解析装置。
【請求項１１】
テスト信号を発生させてスピーカに供給するとともに、前記スピーカから放音される前記テスト信号に応じたテスト音声を収音する目的聴取位置のマイクロホンからの収音信号の供給を受けて、前記テスト信号と前記収音信号とを外部機器に供給可能な音響調整装置と所定の通信路を通じて接続される音響解析装置に搭載されたコンピュータに、
前記通信路を通じて前記音響調整装置から提供される前記収音信号と前記テスト信号とを受け付ける解析情報受付ステップと、
前記解析情報受付ステップにおいて受け付けた前記収音信号と前記テスト信号とに基づいて目的とする音響解析を行い、前記音響調整装置の音響調整を制御するようにするための調整情報を形成する音響解析ステップと、
前記音響解析ステップにおいて形成した前記調整情報を前記通信路を通じて前記音響調整装置に提供する調整情報提供ステップと
を実行させることを特徴する音響解析処理プログラム。
【請求項１２】
請求項１１に記載の音響解析プログラムであって、
当該音響調整装置は、公衆通信ネットワーク上に設けられ、前記音響調整装置との前記通信路は、前記公衆通信ネットワーク上に設けられ、
前記調整情報の提供に当たり、当該調整情報の提供先に対して課金を発生させる課金ステップを備えることを特徴とする音響解析プログラム。
【発明の詳細な説明】
【０００１】
【発明の属する技術分野】
この発明は、例えば、家庭内において、ＤＶＤ（Ｄｉｇｉｔａｌ  Ｖｅｒｓａｔｉｌｅ  Ｄｉｓｃ）等のマルチチャンネルのコンテンツを楽しむ環境において、最適な音響再生環境になるように、出力される音声信号に対して自動調整を行うようにする自動音響調整システム、このシステムで用いられる音響調整装置、音響解析装置および音響解析処理プログラムに関する。
【０００２】
【従来の技術】
家庭内にいわゆるホームシアターシステムを構築し、ＤＶＤ等で提供されるマルチチャンネルの映画などのコンテンツを楽しむ環境を整えることが広く行われるようになってきている。ここでいわゆるマルチチャンネルのコンテンツは、多チャンネルの音声信号を有するもので、ドルビーデジタルＡＣ―３（登録商標）方式、ＤＴＳ（Ｄｉｇｉｔａｌ  Ｔｈｅａｔｅｒ  Ｓｙｓｔｅｍ（登録商標））方式などがある。
【０００３】
例えば、５．１チャンネルのマルチチャンネルのコンテンツに対応可能なホームシアターシステムの場合には、聴取者の前方に配置されるセンタースピーカ（Ｃ）、左スピーカ（Ｌ）、右スピーカ（Ｒ）、視聴者の後方に配置される左リアスピーカ（ＳＬ）、右リアスピーカ（ＳＲ）、さらに聴取者の前方に配置されるサブウーハー（Ｓｕｂ）の６つのスピーカから音声（音響）を放音することにより、臨場感のある音響の聴取が可能な音響再生環境を形成するようにしている。
【０００４】
そして、マルチチャンネルのホームシアターシステムの場合、目的とするリスニングポジション（聴取位置）においての良好な再生音場を形成できるようにするために、各チャンネル（音声チャンネル）の音声信号に施す調整のための調整パラメータの設定を自動的に行うようにすることが考えられている。その一例として、マルチチャンネル対応のＡＶ（Ａｕｄｉｏ  ａｎｄ  Ｖｉｓｕａｌ）アンプ装置に自動音響調整機能を搭載するようにしたものがある。
【０００５】
例えば、図８に示すように５．１チャンネル対応のＡＶアンプ装置１００に、自動音響調整機能を搭載したものが実現されている。ここで、Ｌ、Ｃ、Ｒ、ＳＬ、ＳＲ、Ｓｕｂのそれぞれは、聴取者の周囲に設置されるスピーカを示している。このＡＶアンプ装置１００は、図９に示すように構成され、リスニングポジションに設置されるマイクロホンＭｉｃによって収音された音声信号の供給を受け付けるマイク入力端子１０１ａが設けられたものである。
【０００６】
このＡＶアンプ装置１００の場合、音声を放音するスピーカを順次に変えてテスト音声を放音するようにし、これをリスニングポジションの測定マイクロホンＭｉｃで収音して、マイク入力端子１０１ａを通じてＡＶアンプ装置１００に供給し、マイクアンプ１０２、Ａ／Ｄコンバータ１０３を介して、ＤＳＰ（Ｄｉｇｉｔａｌ  Ｓｉｇｎａｌ  Ｐｒｏｃｅｓｓｏｒ）１０５の内部のＲＡＭ、若しくは、制御部１０８のＲＡＭに保存する。
【０００７】
この保存した収音テスト信号（収音データ）と元のテスト信号（リファレンス信号）とを用いてＤＳＰ１０５において信号処理により音響解析を行い、この解析結果に基づいて各チャンネルに対する調整パラメータを生成する。そして、生成した調整パラメータを音声信号に対して調整処理を施すＤＳＰ１０５に設定することにより、各チャンネルの音声信号に対して最適な調整を施すことができるようにしている。
【０００８】
なお、図９において、入力端子１０１ｂから１０１ｅは、種々のＡＶ機器からの音声信号の入力を受け付けるものであり、出力端子１０９ａから１０９ｆは、各チャンネルに対応した音声信号の出力端である。また、Ｄ／Ａ変換部１０６は、各チャンネルの音声信号をアナログ信号に変換するものであり、増幅部１０７は、各チャンネルのアナログ信号を増幅させるものである。
【０００９】
上述したＡＶアンプ装置に自動音響調整機能を搭載するようにする技術については、後述の非特許文献１（Ｗｅｂページの情報）に掲載されている。
【００１０】
また、音響解析を外部の機器、例えばパーソナルコンピュータで行うようにしたシステムもある。外部コンピュータを用いた自動音響調整システムは、例えば図１０に示すように形成され、ここで用いられるＡＶアンプ装置２００は、例えば、図１１のように構成される。なお、図１０においても、Ｌ、Ｃ、Ｒ、ＳＬ、ＳＲ、Ｓｕｂのそれぞれは、聴取者の周囲に設置されるスピーカを示している。
【００１１】
この例の場合にも、図１０に示したように、リスニングポジションに測定マイクロホンＭｉｃを置く。しかしこの例の場合には、測定マイクロホンＭｉｃは、ＡＶアンプ装置２００に接続するのではなく、マイクアンプ３０１を介して、パーソナルコンピュータ３０２に接続するようにしている。そして、パーソナルコンピュータ３０２と、ＡＶアンプ装置２００とも接続する。これら各機器間の接続は、アナログ、ＵＳＢ、ＩＥＥＥ１３９４等が用いられる。
【００１２】
そして、測定に用いるテスト信号は、パーソナルコンピュータ３０２から例えばアナログ信号としてＡＶアンプ装置２００に供給する。パーソナルコンピュータ３０２からのテスト信号は、ＡＶアンプ装置２００のアナログ入力端子２０１ｂを通じて受け付けられ、Ａ／Ｄコンバータ２０２を通じてＤＳＰ２０４に供給され、音声を放音するスピーカが順次に変えられてテスト音声を放音するようにされる。
【００１３】
このスピーカから放音されるテスト音声は、リスニングポジションに設置される測定マイクロホンＭｉｃで収音され、これが収音テスト信号としてマイクアンプ３０１を通じてパーソナルコンピュータ３０２に供給される。パーソナルコンピュータ３０２は、測定マイクロホンＭｉｃからの収音テスト信号と、自己が保持するテスト信号（リファレンス信号）とを用いて音響解析を行い、ＡＶアンプ装置２００のための調整パラメータを形成して、これをＡＶアンプ２００に供給する。
【００１４】
ＡＶアンプ２００は、パーソナルコンピュータ３０２からの調整パラメータを入力端子２０１ａを通じて受け付け、制御部２１０を通じてＤＳＰ２０４に供給され、これがＤＳＰ２０４に設定されて、各チャンネルの音声信号に対して最適な調整を施すことができるようにされる。
【００１５】
この例の場合、ＡＶアンプ装置２００にテスト信号の発生処理、音響解析処理、調整パラメータの形成処理を行わせることが無いので、ＡＶアンプの負荷を軽減させることが可能であり、また、ＡＶアンプ装置２００に測定マイクロホンＭｉｃの入力端子を設けなくてもよいので、簡便に自動音響調整システムを構築することができるようにされる。
【００１６】
なお、図１１において、入力端子２０１ｃから２０１ｆは、種々のＡＶ機器からの音声信号の入力を受け付けるものであり、出力端子２１３ａから２１３ｆは、各チャンネルに対応した音声信号の出力端である。また、Ｄ／Ａ変換部２０５は、各チャンネルの音声信号をアナログ信号に変換するものであり、増幅部２０６は、各チャンネルのアナログ信号を増幅させるものである。
【００１７】
この図１０、図１１を用いて説明した技術を利用し、スピーカから聴取者までの距離、周波数特性、音圧レベルの少なくとも１つを簡便的に測定して分析し、この分析結果を赤外線信号で音響装置に提供するようにする技術が、例えば特許文献１に記載されている。
【００１８】
【非特許文献１】
徹底研究「自動音場補正機能ＭＣＡＣＣ」、［ｏｎｌｉｎｅ］、パイオニア株式会社、［平成１４年１１月１日検索］、インターネット＜ＵＲＬ：ｈｔｔｐ：／／ｗｗｗ．ｐｉｏｎｅｅｒ．ｃｏ．ｊｐ／ｄ−ｅ−ｓ／ｃｏｎｔｅｎｔｓ／ｈｏｍｅｔｈｅａｔｅｒ／ａ／ａｖ−ａｍｐ／ａｘ１０＿ｔｏｐｉｃ／ｍｃａｃｃ／ｍｃａｃｃ＿１．ｈｔｍ
【００１９】
【特許文献１】
特開２００１−３５２６００号公報
【００２０】
【発明が解決しようとする課題】
しかしながら、図８、図９を用いて上述したＡＶアンプ装置内部に自動調整機能を搭載するシステムの場合には、音響調整に係る処理を全てＡＶアンプ措置００内で行える反面、そのＡＶアンプ装置内にテスト信号の発生器、測定データの解析プログラム、解析用メモリエリアなどが必要になる。つまり、解析プログラム分ＲＯＭの記憶容量も余分に必要となるし、解析過程のデータを格納するメモリエリアを多く要するため、ＲＯＭやＲＡＭ、さらにはＤＳＰなどのコストが余分にかかってしまう。
【００２１】
また、測定データの解析プログラムでどこまでできるかも、ＡＶアンプ１００のＣＰＵ１０８の能力に依存し、例えば、多数回のＦＦＴの結果を用いて平均化を行うなどの複雑な処理は難しい。さらに、解析プログラムも簡単に入れ替えたり、更新したりはできない。
【００２２】
また、図１０、図１１を用いて上述したＡＶアンプ装置２００とパーソナルコンピュータ３０２とを接続する方法の場合には、測定データの取込み、音響分析、調整パラメータの形成、送信についてもパーソナルコンピュータ３０２が行う。パーソナルコンピュータ３０２は、処理能力、メモリ、プログラム容量など、十分な余裕があり、多数回のＦＦＴの結果を用いて平均化を行うなどの複雑な処理を簡単に行うことができる。
【００２３】
しかし、パーソナルコンピュータ３０２とＡＶアンプ装置００との間のインターフェース、測定マイクロホンとコンピュータ間のインターフェースなど、複数のインターフェースが必要になり、接続などの面で使い勝手が複雑である。また、パーソナルコンピュータ３０２からＡＶアンプ装置２００へのテスト信号の供給にかかる当該テスト信号の遅延時間を正確に把握していないと、パーソナルコンピュータ３０２においての解析処理の精度が落ちる可能性がある。
【００２４】
以上のことにかんがみ、この発明は、上記問題点を一掃し、音響装置に大きな負荷をかけることなく、簡単に、かつ、正確に、さらに迅速に音声信号に対して適切な調整を行えるようにする自動音響調整システム、音響調整装置、音響解析装置および音響解析処理プログラムを提供することを目的とする。
【００２５】
【課題を解決するための手段】
上記課題を解決するため、請求項１に記載の発明の音響調整システムは、
音響調整装置と音響解析装置とが通信路を通じて接続されて形成される自動音響調整システムであって、
前記音響調整装置は、
出力する音声信号に対して所望の調整処理を施す音響調整手段と、
テスト時にテスト信号を発生させるテスト信号発生手段と、
テスト時に目的とする聴取位置に設置され、スピーカから放音される前記テスト信号発生手段からの前記テスト信号に応じたテスト音声を収音するようにするマイクロホンからの収音信号の入力端と、
前記入力端を通じて受け付けた前記収音信号と前記テスト信号とを、前記通信路を通じて前記音響解析装置に提供する測定情報提供手段と、
前記音響解析装置から前記通信路を通じて提供される調整情報を受け付ける調整情報受付手段と、
前記調整情報受付手段を通じて受け付けた前記調整情報に基づいて、前記音響調整手段が調整処理を行うように制御する調整制御手段と
を備え、
前記音響解析装置は、
前記通信路を通じて前記音響調整装置から提供される前記収音信号と前記テスト信号とを受け付ける測定情報受付手段と、
前記測定情報受付手段を通じて受け付けた前記収音信号と前記テスト信号とに基づいて目的とする音響解析を行い、前記音響調整装置に提供する前記調整情報を形成する音響解析手段と、
前記音響解析手段において形成された前記調整情報を前記通信路を通じて前記音響調整手段に提供する調整情報提供手段と
を備えることを特徴とする。
【００２６】
この請求項１に記載の発明の自動音響調整システムによれば、音響調整装置においては、テスト信号発生手段によりテスト信号が発生するようにされ、このテスト信号に応じたテスト音声がスピーカから放音するようにされる。このスピーカからのテスト音声がマイクロホンにより収音され、この収音された収音信号が、音響調整装置に供給される。そして、テスト信号とマイクロホンからの収音信号とが測定情報提供手段を通じて音響解析装置に提供される。
【００２７】
音響解析装置においては、測定情報受付手段を通じて音響調整装置からの測定情報であるテスト信号と収音信号とを受け付け、これらを用いて音響解析手段により音響解析を行って調整情報を形成する。この調整情報は、調整情報提供手段を通じて音響調整装置に提供され、音響調整装置の調整情報受付手段を通じて受け付けられ、音響調整装置の調整制御手段に音響調整手段に設定するようにされ、出力する音声信号に対して適切な調整処理を行うことができるようにされる。
【００２８】
このように、音響調整装置が、テスト信号を発生させる機能と、このテスト信号と、スピーカから放音されるテスト信号に応じた音声を収音するマイクロホンからの収音音声とを音響解析装置に提供する機能を有しているので、テスト音声信号の供給路における遅延を音響解析において考慮する必要が無いようにされる。
【００２９】
また、音響解析は、音響解析装置で行うので、出力音声に対して調整処理を行う音響調整装置に対して大きな負荷をかけることなく、音響解析装置の高い能力と十分な資源を活用して、迅速かつ正確に音響解析を行って、調整情報を形成することができるようにされる。また、音響調整装置と音響解析装置との接続に手間がかかるなどのこともない。
【００３０】
すなわち、音響調整を行うことが重要な機能である音響調整装置に解析処理を行わせるなどの大きな負荷をかけることなく、簡単に、かつ、正確に、さらに迅速に音声信号に対する調整情報を得て、音響調整装置において出力する音声信号に対して適切な調整を施すことができるようにされる。
【００３１】
【発明の実施の形態】
以下、図を参照しながらこの発明による自動音響調整システム、音響調整装置、音響解析装置および音響解析処理プログラムの一実施の形態について説明する。以下に説明する実施の形態においては、５．１チャンネルのマルチチャンネル音声信号に対応可能なＡＶアンプ装置を用いてシステムを構築するようにした場合を例にして説明する。
【００３２】
［自動音響調整システムの構成例について］
図１は、この発明による自動音響調整システムが適用され、家庭に構成するようにされたこの実施の形態の自動音響調整システムを説明するための図である。図１に示すように、この実施の形態の自動音響調整システムは、大きく分けると、この発明による音響調整装置が適用された５．１チャンネル対応のＡＶアンプ装置１と、この発明による音響解析装置、音響解析処理プログラムが適用されたホームサーバ装置（パーソナルコンピュータ）２とにより構成されるものである。
【００３３】
この実施の形態においては、図１に示すように、ＡＶアンプ装置１は部屋Ａ（例えば地下などに設けられるホームシアタールーム）に設置され、ホームサーバ装置２は、部屋Ｂ（例えば書斎などのシステム管理ルーム）に設置されるというように、それぞれが異なる部屋に設置される。また、この実施の形態において、ＡＶアンプ装置１とホームサーバ装置２とは、例えばイーサーネット（Ｅｔｈｅｒｎｅｔ（登録商標））などの通信線３を通じて接続されている。
【００３４】
なお、ＡＶアンプ装置１には、図示しないが、ＤＶＤ装置、ＣＤ（Ｃｏｍｐａｃｔ  Ｄｉｓｃ）プレーヤ、ＶＴＲ（Ｖｉｄｅｏ  Ｔｙｐｅ  Ｒｅｃｏｒｄｅｒ）、衛星放送受信機など、種々のＡＶ機器が接続され、これらから音声信号や映像信号の供給を受けるようにされている。なお、この実施の形態においては、映像信号の処理系については省略することとする。
【００３５】
図２は、図１に示した自動音響調整システムの構成を概念的に示すようにしたブロック図である。図２に示し、また、図１にも示したように、ＡＶアンプ装置１には、５．１チャンネル分のスピーカＳＰ１〜ＳＰ６が接続されるとともに、テスト時においてリスニングポジション（聴取位置）に設置される測定用マイクロホンＭＣが接続される。
【００３６】
スピーカから放音される音声の特性を測定し、この測定結果に基づいてそのスピーカの音声チャンネルの音声信号に対する調整のための調整パラメータを設定するようにする自動音響調整処理の開始は、ＡＶアンプ装置１、ホームサーバ装置２のいずれからも指示することができるようにしている。
【００３７】
すなわち、自動音響調整処理の開始は、ＡＶアンプ装置１のフロントパネル面に設けられたキー操作部の所定の操作ボタンを押下操作することにより、若しくは、ＡＶアンプ装置１のリモコンコマンダ（以下リモコンという。）の所定の操作ボタンを押下操作することにより、または、ホームサーバ装置２で自動音響調整処理ソフトウェアを起動し、開始操作を行うことにより開始させることができるようにしている。
【００３８】
なお、ＡＶアンプ装置１から自動音響調整処理を開始させるようにした場合、ＡＶアンプ装置１から通信線経由でホームサーバ装置２にリクエストを送信することにより、ホームサーバ装置２において自動音響調整処理ソフトウェアが起動される。
【００３９】
自動音響調整処理が開始されると、ＡＶアンプ装置１は、テスト信号を発生させ、指示された音声チャンネルに接続されたスピーカからテスト信号に応じた音声を放音させるようにするとともに、リスニングポジションの測定マイクロホンＭＣからの収音信号を受け付けて、これらテスト信号（リファレンス信号）と収音信号とを測定情報として通信線３を通じてホームサーバ装置２に送信する。
【００４０】
このテスト音声の放音と収音、および、収音音声のホームサーバ装置２への送信をＡＶアンプ装置１は、ホームサーバ装置２からの指示に応じて音声チャンネルを切り替えて実行する。
【００４１】
そして、ホームサーバ装置２では、ＡＶアンプ装置１から提供されたテスト信号と収音音声とを用いて音響解析処理を行い、ＡＶアンプ装置１に供給する調整パラメータ（調整情報）を形成して、これを通信線３を通じてＡＶアンプ装置１に送信する。ＡＶアンプ装置１では、ホームサーバ装置２からの調整パラメータを用いて、各音声チャンネルの音声信号に対して調整を施すようにして、リスニングポジションにおいて、良好な再生音場を形成することができるようにする。
【００４２】
このように、この実施の形態の自動音響調整システムにおいては、ＡＶアンプ装置１は、（１）テスト信号を発生させる機能と、（２）スピーカから放音されるテスト信号に応じたテスト音声をリスニングポジション（聴取位置）において収音する測定マイクロホンＭＣからの収音信号の供給を受け付ける機能とを持っている。しかし、（３）テスト信号と収音信号とに基づき音響解析を行い音響調整用の調整パラメータを形成する機能は、ホームサーバ装置２が担当し、ＡＶアンプ装置１に自動音響調整のために大きな負荷をかけないようにしている。
【００４３】
また、ＡＶアンプ装置１に測定用マイクロホンＭＣを接続し、ＡＶアンプ装置１とホームサーバ装置２とは、イーサーネットなどの所定の通信線を通じて接続することができるので、接続が複雑になることは無く、また、ＡＶアンプ装置１とホームサーバ装置２とを隣接させて設置する必要も無いので、自動音響調整システムを比較的に簡単に構成することができるようにされる。
【００４４】
［ＡＶアンプ装置１の構成例について］
次に、この実施の形態のＡＶアンプ装置１の構成例について説明する。図３は、この実施の形態のＡＶアンプ装置１の構成例を説明するためのブロック図である。図３に示すように、この実施の形態のＡＶアンプ装置１は、マイク入力端子ＩＮ１、アナログ入力端子ＩＮ２、ＤＶＤ装置、ＣＤプレーヤ、ＶＴＲ、衛星放送受信機などからの出力音声信号の入力端子ＩＮ３、ＩＮ４、ＩＮ５、ＩＮ６を備えている。
【００４５】
また、図３に示すように、ＡＶアンプ装置１は、マイクアンプ部１１、Ａ／Ｄ変換部１２、インプットセレクタ１３、ＤＳＰ１４、各音声チャンネルに対応して設けられるＤ／Ａ変換部１５（１）〜１５（６）、各音声チャンネルに対応して設けられる増幅部１６（１）〜１６（６）、各音声チャンネルに対応する出力端子ＯＴ１〜ＯＴ６、テスト信号発生部１７を備えるとともに、各部を制御するための制御部１８を備えている。
【００４６】
制御部１８は、ＣＰＵ（Ｃｅｎｔｒａｌ  Ｐｒｏｃｅｓｓｉｎｇ  Ｕｎｉｔ）１８１、ＲＯＭ（Ｒｅａｄ  Ｏｎｌｙ  Ｍｅｍｏｒｙ）１８２、ＲＡＭ（Ｒａｎｄｏｍ  Ａｃｃｅｓｓ  Ｍｅｍｏｒｙ）１８３がＣＰＵバス１８４を通じて接続されて構成されたマイクロコンピュータである。この制御部１８には、図３に示すように、キー操作部１９、リモコン信号受光部２０、ＬＣＤ（Ｌｉｑｕｉｄ  Ｃｒｙｓｔａｌ  Ｄｉｓｐｌａｙ）２１、通信インターフェース（以下、通信Ｉ／Ｆという。）２２が接続されている。また、通信Ｉ／Ｆ２２は、通信用入出力端子２３に接続されている。
【００４７】
マイク入力端子ＩＮ１を通じて受け付けた測定用マイクロホンＭＣからの収音信号は、マイクアンプ部１１において増幅され、これがＡ／Ｄ変換部１２に供給されて、デジタル信号に変換された後に、インプットセレクタ１３に供給される。また、アナログ入力端子ＩＮ２を通じて入力されたアナログ音声信号も同様に、Ａ／Ｄ変換部１２においてデジタル信号に変換された後にインプットセレクタ１３に供給される。
【００４８】
また、インプットセレクタ１３には、入力端子ＩＮ３〜ＩＮ６を通じて受け付けた音声信号も入力するようにされている。インプットセレクタ１３は、キー操作部１９やリモコン信号受光部２０通じて受け付けた使用者からの指示入力に応じて、後段のＤＳＰ１４に供給する音声信号を選択する。
【００４９】
ＤＳＰ１４は、これに供給される音声信号に対して種々の処理を行うものである。ＤＳＰ１４は、例えば、マルチチャンネル方式にエンコードされた音声信号をデコードして、各音声チャンネルの音声信号に分ける処理を行う。また、ＤＳＰ１４は、各音声チャンネルの音声信号に対して、音量レベルの調整、スピーカとリスニングポジションと間の距離感の調整、周波数特性の調整など種々の調整処理を施すことも行う。なお、図３においては、音声チャンネルをｃｈと記載している。
【００５０】
このＤＳＰ１４は、制御部１８により制御され、制御部１８から音響調整用の調整パラメータの提供を受け、これを設定することにより、音声チャンネル毎に音声信号に施す種々の調整処理を変更することができるものである。そして、ＤＳＰ１４において形成された各音声チャンネルの音声信号は、各音声チャンネルに対応するＤ／Ａ変換部１５（１）〜１５（６）においてアナログ信号に変換され、対応する増幅部１６（１）〜１６（６）で増幅され、対応する出力端子ＯＴ１〜ＯＴ６を通じて出力されて、各スピーカに供給するようにされる。
【００５１】
そして、この実施の形態のＡＶアンプ装置１は、上述もしたように、自動音響調整処理のためのテスト信号（レファレンス信号）を発生させるテスト信号発生部（レファレンス信号ジェネレータ）１７を備えている。このテスト信号発生部１７は、制御部１８からの制御に応じて、所定のテスト信号を発生され、これをＤＳＰ１４に供給する。
【００５２】
ＤＳＰ１４は、制御部１８からの制御に応じて、指示された音声チャンネルを通じてテスト信号を出力するようにするが、このテスト時には、ＤＳＰ１４に設定されている音響調整のための調整パラメータはクリアされ、初期状態のＤＳＰ１４によって処理された音声信号が出力するようにされる。
【００５３】
そして、テスト信号は、指示された音声チャンネルに接続するようにされたスピーカから放音され、これがリスニングポジションの測定用マイクロホンＭＣによって収音され、上述もしたように、マイク入力端子ＩＮ１、マイクアンプ部１１、Ａ／Ｄ変換部１２、インプットセレクタ１３を通じてＤＳＰ１４に供給され、ＤＳＰ１４のＲＡＭ１４１に格納される。なお、この実施の形態においては、テスト信号もＤＳＰ１４のＲＡＭ１４１に格納される。
【００５４】
この後、制御部１８は、ＤＳＰ１４のＲＡＭ１４１からこれに格納されているテスト信号と測定用マイクロホンＭＣからの収音信号とを読み出し、これらを測定情報として通信Ｉ／Ｆ２２、入出力端子２３、これに接続されているイーサーネット（登録商標）の通信路を通じてホームサーバ装置２に送信する。
【００５５】
そして、ホームサーバ装置２では、上述もしたように、ＡＶアンプ装置１からのテスト信号と収音音声とから所定の音響解析を行って、良好な再生音場の形成が可能なようにするため、ＡＶアンプ装置１に供給する調整パラメータを形成し、これをイーサーネット（登録商標）の通信路を通じて返信してくる。
【００５６】
ＡＶアンプ装置１は、ホームサーバ装置２からの調整パラメータを入出力端子２３、通信Ｉ／Ｆ２２を通じて受信し、制御部１８に供給する。制御部１８は、受信したホームサーバ装置２からの調整パラメータをＤＳＰ１４に対して設定する。このようにして、この実施の形態のＡＶアンプ装置１は、使用者の手を煩わせることなく、自動的にＡＶアンプ装置１の各音声チャンネルの音声信号に対して、適正な調整を施すようにすることができるようにしている。
【００５７】
なお、ＬＣＤ２１は、出力する音声信号の状態を示す情報や、ガイダンスメッセージや警告メッセージなどの種々の情報を制御部１８の制御に応じて表示するようにするものである。
【００５８】
［自動音響調整処理の全体の流れについて］
次に、上述したＡＶアンプ装置１とホームサーバ装置２とにより構成される自動音響調整システムにおいて行われる自動音響調整処理の全体の流れの一例について説明する。図４は、この実施の形態の自動音響調整システムで行われる自動音響調整処理を説明するためのフローチャートである。
【００５９】
上述もしたように、この実施の形態の自動音響調整システムにおいては、音響解析は、ＡＶアンプ装置１からのテスト信号と収音信号とに基づいて、ホームサーバ装置２において行われる。ホームサーバ装置２は、ＡＶアンプ装置１からのテスト信号と収音信号とからなる測定情報の提供を受けると、まず、スピーカの有無のチェックを行う（ステップＳ１０１）。
【００６０】
このステップＳ１０１の具体的な処理は、テスト対象となっている音声チャンネルのスピーカから、例えば中音域成分を含むテスト信号に応じた音声を放音するようにし、そのテスト音声を測定マイクロホンＭＣで収音できたか否かをチェックする処理である。テスト音声の返りが無い場合、その音声チャンネルのスピーカは存在しないと判断し、以降の処理を行わないようにしたり、その音声チャンネルについての考慮を外したりするなどの処置を講じることになる。テスト音声が測定マイクロホンＭＣで所定レベル以上で収音できた場合、その収音信号のレベルまたは利得をＲＡＭ１４１に記憶しておく。
【００６１】
次に、スピーカサイズの判定とクロス周波数の決定を行う（ステップＳ１０２）。具体的には、ステップＳ１０１で得られた中音域における収音信号の利得に比べて、例えば、８０Ｈｚから１００Ｈｚ程度の低周波のテスト信号を用い、収音信号の利得がフラットである場合にはラージ、数ｄＢ程度下がっている場合にはスモールと判断し、スモールであると判断された場合にこのような低周波の音声信号は出力できないので、これをサブウーハースピーカに割り当てるようにするパラメータを形成し、これをＡＶアンプ装置１に提供する。
【００６２】
次に、少なくとも中高音域の成分を有するテスト信号を用いてインパルス応答を見ることにより、スピーカとリスニングポジション間の距離と極性とを検出するようにし、音声信号の遅延時間を計算し、これを調整パラメータとしてＡＶアンプ装置１に供給し、そのスピーカから放音される音声の遅延時間を調整するようにする（ステップＳ１０３）。
【００６３】
次に、収音音声信号のレベルから音量レベルを測定し、適正な音量レベルにするようにする調整パラメータを形成し、これをＡＶアンプ装置１に供給して、音量の調整を行うようにする（ステップＳ１０４）。この後、全帯域について、スピーカの周波数特性を解析して、そのスピーカから放音される音声が適正な周波数帯域の信号となるようにするためのイコライザ（ＥＱ）機能を調整するためのパラメータを形成し、これをＡＶアンプ装置１に供給して、該当スピーカから放音される音声が適正な帯域のものとなるように補正するようにする（ステップＳ１０５）。
【００６４】
そして、この例の場合、各パラメータについての測定と補正（調整）をその都度行うようにしているので、そのスピーカの音量レベル測定と調整を行う（ステップＳ１０６）。このステップＳ１０１〜ステップＳ１０６の各処理を各音声チャンネルについて行って、この図４に示す処理が終了する。
【００６５】
このように、この実施の形態の自動音響調整システムにおいては、各音声チャンネルのスピーカの有無（ステップＳ１０１）、スピーカサイズの判定（ステップＳ１０２）、スピーカーリスニングポジションの距離（ステップＳ１０３）、各音声チャンネルの音量レベル（ステップＳ１０４）、各音声チャンネルの周波数特性の補正（ステップＳ１０５）の各パラメータ項目について、処理を行う。
【００６６】
この実施の形態においては、例えば、フロントレフトＳＰ１（Ｌ）→フロントセンターＳＰ３（Ｃ）→フロントライトＳＰ４（Ｒ）→リアライトＳＰ６（ＳＬ）→リアレフトＳＰ５（ＳＬ）→サブウーファＳＰ２（Ｓｕｂ）の順で、テスト信号（ピンクノイズ等）を出し、リスニングポジションでの測定マイクロホンＭＣからの収音信号を用いて解析を行い、５．１チャンネルの各音声チャンネル間の相対的な値と、ＡＶアンプ装置１のパラメータの設定解像度（例えば、レベルが０．５ｄＢステップ、距離が１０ｃｍステップ）により、各々の最適なパラメータを生成し、ＡＶアンプ装置１のパラメータを設定する。
【００６７】
このようにして、各音声チャンネルを通じて出力される音声信号に対して、適切な調整処理を行い、所定のリスニングポジションにおいて、良好にスピーカからの音声を聴取できるようにすることができる。
【００６８】
なお、図４のフローチャートに示した各ステップにおいて行われる処理は、必ずしもこの順番で行う必要は無く、種々の順番で行うことができる。また、図４を用いて説明した処理の場合には、各ステップの解析の結果得られた情報に基づいて、その都度、調整パラメータを形成し、ＡＶアンプ装置１供給するようにしたが、これに限るものではない。解析をいっぺんに行って、全てのパラメータを得てから、これをＡＶアンプ装置１に提供し、一度に音響調整についての全ての項目に対して補正を行うようにすることもできる。
【００６９】
次に、図４に示したように行われるこの実施の形態の自動音響調整処理においてのＡＶアンプ装置１とホームサーバ装置２の機能と関係をより明確に説明する。図５は、ＡＶアンプ装置１とホームサーバ装置２との間の情報のやり取りを含め、各装置で行われる処理を説明するためのフローチャートである。
【００７０】
上述もしたように、この実施の形態の自動音響調整システムにおいては、ＡＶアンプ装置１からでも、ホームサーバ装置２側からでも自動音響調整処理を実行することができるようにされている。ＡＶアンプ装置１のキー操作部１９あるいはリモコンから自動音響調整処理の実行が指示された場合には、ＡＶアンプ装置１からホームサーバ装置２に対してスタート指示が送信される（ステップＳ２０１）。
【００７１】
ホームサーバ装置２が使用者からの自動音響調整処理の実行指示を受け付けた場合か（ステップＳ３０１）、ＡＶアンプ装置１からスタート指示が送信されて来た場合（ステップＳ３０２）に、ホームサーバ装置２において自動音響調整処理プログラムが実行されて、測定を行うようにするための準備処理（ワークエリアの初期化など）を行い（ステップＳ３０３）、ホームサーバ装置２からＡＶアンプ装置１に対して現状の音響調整のためにセットされているパラメータ（レベル、距離、周波数特性など）を初期化するように指示するパラメータクリア指示を送信する（ステップＳ３０４）。
【００７２】
ＡＶアンプ装置１は、ホームサーバ装置２からのパラメータクリア指示を受信すると制御部１８がＤＳＰ１４を制御して、音響調整のためのパラメータをクリアする処理を行う（ステップＳ２０２）。
【００７３】
この後、ホームサーバ装置２は、スピーカから放音される音声の特性を測定する処理を開始し（ステップＳ３０５）、目的とする音声チャンネルを指定して、テスト信号（ピンクノイズなど）を出力するようにする指定チャンネルテストトーン開始指示を送信する（ステップＳ３０６）。
【００７４】
ＡＶアンプ装置１は、ホームサーバ装置２からの指定チャンネルテストトーン開始指示を受信すると、その指示された音声チャンネルからテスト信号を出力するように、制御部１８がテスト信号発生部１７、ＤＳＰ１４などを制御し、所定のテスト信号の出力を開始する（ステップＳ２０３）。
【００７５】
このステップＳ２０３の処理の後、指示された音声チャンネルのスピーカから放音される音声は、リスニングポジションの測定マイクロホンＭＣによって収音され、ＡＶアンプ装置１に供給されて蓄積される（ステップＳ２０４）。ホームサーバ装置２は、ＡＶアンプ装置１に対して、任意の時間のテスト信号と収音信号との提供を要求する（ステップＳ３０８）。
【００７６】
ステップＳ３０８のデータ要求に応じて、ＡＶアンプ装置１は、指定された時間分の測定情報（テスト信号と収音信号と）をホームサーバ装置２に送信する（ステップＳ２０５）。この測定データは、例えば４８ｋＨｚサンプリングで１６ビット、２チャンネル分である。
【００７７】
ホームサーバ装置２は、ＡＶアンプ装置からのテスト信号と収音信号とを受信し（ステップＳ３０９）、これに基づき、図４を用いて説明したように、解析とパラメータ生成とを行う（ステップＳ３１０）。なお、スピーカ有無のチェックで無しと判断された音声チャンネルはその後、測定しないようにされる。ステップＳ３１０において、パラメータ項目毎に最適な調整パラメータを生成したら、生成した調整パラメータをホームサーバ装置２からＡＶアンプ装置１に転送する（ステップＳ３１１）。
【００７８】
ＡＶアンプ装置１は、ホームサーバ装置２からの調整パラメータを受信して、これを制御部１８がＤＳＰ１４に設定し、音声信号に対する調整の補正を行う。この例の場合、このステップＳ３１０、３１１の処理が、図４に示した処理に相当し、目的とする調整パラメータを形成するごとに、その調整パラメータをＡＶアンプ装置１に送信して設定するようにする。そして、この調整処理を全ての音声チャンネル（Ｌ、Ｃ、Ｒ、ＳＬ、ＳＲ、Ｓｕｂ）について終了した場合に、この図５に示す全体の処理が終了する。
【００７９】
なお、図５においては、各音声チャンネル毎に、ＡＶアンプ装置２からのテスト信号と収音信号とに基づいて、図４に示したように、所定の項目についての測定とパラメータ生成とを行い、生成の都度、ＡＶアンプ装置１に戻すようにしたがこれに限るものではない。
【００８０】
例えば、図６に示すように、ステップＳ３１２では解析のみを行い、この解析結果に基づいて、各音声チャンネル毎に各項目毎の調整パラメータを一括して生成し（ステップＳ３１３）、これを一括してＡＶアンプ装置１に転送して（ステップＳ３１４）、全音声チャンネルの全調整パラメータ一括してＡＶアンプ装置１に設定するようにすることもできる。
【００８１】
この図５、図６から分かるように、音響解析装置であるホームサーバ装置２においては、スピーカサイズの判定、スピーカーリスニングポジションの距離、各音声チャンネルの音量レベル、各音声チャンネルの周波数特性の補正の各パラメータ項目について順に解析を行う。各パラメータ項目において、さらに、フロントレフト、フロントセンター、フロントライト、リアライト、リアレフト、サブウーファの音声チャンネル毎に順に解析を行う。
【００８２】
この解析に際し、図５に示したように、その都度、調整パラメータを形成し、ＡＶアンプ装置１に供給するようにしてもよいし、また、図６に示したように、各解析結果を保持して、一括して調整パラメータを形成し、これを一括してＡＶアンプ装置１に提供するようにすることもできる。
【００８３】
ＡＶアンプ装置１においては、テスト信号の発生と、測定マイクロホンＭＣからの収音信号の受け付けと、テスト信号と収音音声からなる測定情報のホームサーバ装置２への送信と、ホームサーバ装置２からの調整パラメータの受信と設定というように、ごく簡単な処理のみが行うようにされる。
【００８４】
これにより、ＡＶアンプ装置１に大きな負荷をかけることなく、簡単かつ正確に、しかも迅速にＡＶアンプ装置１においての音響調整処理に用いられる調整パラメータを形成し、これをＡＶアンプ装置１に設定して、各音声チャンネルの音声信号に対して、適切な調整処理を行うことができる。
【００８５】
［他の例］
上述した実施の形態においては、音響の解析はホームサーバ装置２で行うものとして説明したが、これに限るものではない。公衆通信ネットワーク上に設けられた外部サーバ装置を音響解析装置として用いるようにすることもできる。
【００８６】
図７は、公衆通信ネットワーク上に設けられたサーバ装置７を音響解析装置として用いる場合の例を説明するための図である。図７に示すように、この例の場合には、ＡＶアンプ装置１とサーバ装置７とを公衆通信網４とＩＳＰ（ＩｎｔｅｒｎｅｔＳｅｒｖｉｃｅ  Ｐｒｏｖｉｄｅｒ）５とインターネット６とを通じて通信回線を接続し、相互に情報の送受信ができるようにしたものである。
【００８７】
この場合、公衆通信網４は、公衆交換電話網（ＰＳＴＮ）や公衆交換データ網（ＰＳＤＮ）、総合サービスデジタル通信網（ＩＳＤＮ）などの電気通信事業者が不特定多数のユーザに通信サービスを提供する電気通信網である。
【００８８】
そして、ＡＶアンプ装置１（１）、１（２）、１（３）、…のそれぞれは、図３に示したＡＶアンプ装置１と同様に構成されるものである。したがって、ここでも必要に応じて図３をも参照し、また、公衆通信網３に接続される多数のＡＶアンプ装置のそれぞれを特に区別することなくＡＶアンプ装置１として説明する。
【００８９】
そして、図７に示した例の各ＡＶアンプ装置１において、通信Ｉ／Ｆ２２は、いわゆるモデムとしての機能を備え、制御部１８と協働して、インターネット接続サービスを提供するＩＳＰ５に電話をかけてインターネット６への接続を要求し、ＩＳＰ５を通じてインターネット６に接続して通信を行うことができるようにしたものである。また、サーバ装置７は、通信機能を備えたコンピュータであり、上述した実施の形態のホームサーバ装置２と同様の機能を備えたものである。
【００９０】
また、この例のＡＶアンプ装置１の場合も、家庭において、例えば図２に示したように配置される６つのスピーカに音声信号を供給することができるものであり、図２に示したように、テスト時においてリスニングポジションに設置される測定マイクロホンＭＣからの収音音声信号の供給を受けることができるものである。
【００９１】
そして、ＡＶアンプ装置１は、キー操作部１９またはリモコンを通じて自動音響調整処理の開始が指示されると、上述した実施の形態の場合と同様に、ＤＳＰ１４の音響調整にかかるパラメータをクリア（初期化）し、テスト信号を発生させて所定の音声チャンネルを通じてスピーカに供給してテスト音声を放音させ、その放音音声を測定マイクロホンで収音して収音信号をＡＶアンプ装置１に供給する。
【００９２】
この例では、ＡＶアンプ装置１は、テスト信号の発生とそのテスト信号に応じたテスト音声の収音とを各音声チャンネルについて行うようにし、各音声チャンネルについてのテスト信号と収音音声とを所定期間分蓄積する。そして、ＡＶアンプ装置１の制御部１８は、通信Ｉ／Ｆ２２を通じて公衆通信網４、ＩＳＰ５、インターネット６を通じてサーバ装置７にアクセスし、蓄積したテスト信号と収音音声とを測定情報としてサーバ装置７に送信する。
【００９３】
サーバ装置７は、ＡＶアンプ装置１からの測定情報を受信すると、図４を用いて説明したように、各音声チャンネルの測定情報を用いて各音声チャンネルについて所定の音響解析を行い、各音声チャンネルの音響調整にかかる調整パラメータを生成し、これをインターネット６、ＩＳＰ５、公衆通信網４を通じて、測定情報の送信元であるＡＶアンプ装置１に返信する。
【００９４】
ＡＶアンプ装置１は、サーバ装置７からの調整パラメータを受信した場合には、これを制御部１８がＤＳＰ１４に設定し、最適な再生音場を形成することができるように、各音声チャンネルの音声信号に対する調整を行うことができるようにされる。
【００９５】
なお、この例では、全ての音声チャンネルについての測定情報を一括して送信する場合を例にして説明したが、これに限るものではなく、音声チャンネル毎に測定情報の送受信と調整パラメータの送受信を行うようにしてももちろんよいし、図４を用いて説明したように、調整パラメータを生成するごとに、ＡＶアンプ装置１に返信するようにすることも可能である。
【００９６】
また、図５、図６を用いて説明したように、ＡＶアンプ装置１とサーバ装置７とが、必要なタイミングで適宜、要求を送受するようにして自動音響調整処理を行うようにすることもできる。すなわち、音響解析装置としてのサーバ装置は、ホームサーバ装置として家庭内に設置されていても、また、公のサーバ装置としてインターネット上に設けられていても、ほぼ同様の自動音響調整システムを構築することが可能である。
【００９７】
また、サーバ装置７の運営者と契約を結び会員になった使用者のＡＶアンプ装置１に対してのみ自動音響調整サービスを提供するようにすることもできる。この場合には、ＡＶアンプ装置１からサーバ装置７にアクセスするに際し、会員になったＡＶアンプ装置１の使用者に割り当てられる会員識別情報をＡＶアンプ装置１からサーバ装置７に送信し、この会員識別情報に基づいてサーバ装置７において認証処理を行い認証が得られた会員のＡＶアンプ装置１に対してのみ、送信されてくる測定情報を受け付けて、これを解析し、調整パラメータを生成して提供する自動音響調整サービスを提供するようにすることもできる。
【００９８】
この場合、例えば、会員であるＡＶアンプ装置１の使用者の音質の好みに関する情報を予めサーバ装置７に登録しておくようにすることによって、サーバ装置７において、各会員の好みに応じた音声になるようにする調整パラメータを形成するようにすることもできる。
【００９９】
また、会員から会費を徴収したり、あるいは、自動音響調整サービスの提供に当たり、サーバ装置７において、課金を発生させたりすることもできる。課金は、自動音響調整サービスの１回毎に行うことも可能であるし、所定回までは無料にするがそれ以降は有料にしたり、自動音響調整サービスの提供回数に応じて、課金金額を変えたりすることもできる。
【０１００】
なお、課金の徴収は、サービス提供時に課金金額を公衆通信ネットワークを通じてＡＶアンプ装置１側に通知し、登録された銀行口座から引き落とすように銀行に請求するようにしたり、あるいは、指定されたクレジット会社に対して請求を行うようにしたり、あるいは、請求書を発行し、ＡＶアンプ装置１の使用者に郵送し、入金を促すようにするなどの種々の方法の適用が可能である。
【０１０１】
また、図７に示した例の場合には、ＡＶアンプ装置１を直接、公衆通信ネットワークに接続する場合を例にして説明したが、これに限るものではない。ＡＶアンプ装置１と公衆通信網４との間にホームサーバ装置を介在させ、ホームサーバ装置の通信機能を用いるようにすることももちろんできる。
【０１０２】
また、イーサーネットなどのＬＡＮに接続されたＡＶアンプ装置１から所定のサーバ装置を通じて、インターネット上のサーバ装置７にアクセスするようにしてもよい。
【０１０３】
また、図１〜図６用いて説明した実施の形態の自動音響調整システムの場合にも、また、図７に示した外部のサーバ装置を用いる自動音響調整システムの場合にも、送受信に用いるプロトコルは、例えばＨＴＴＰ（Ｈｙｐｅｒｔｅｘｔ  Ｔｒａｎｓｆｅｒ  Ｐｒｏｔｏｃｏｌ）を用い、ＡＶアンプ装置１がクライアント装置となるように構成される。
【０１０４】
しかし、これに限るものではなく、他の種々のプロトコルを用いるようにすることも可能であるし、また、ＡＶアンプ装置とサーバ装置とを専用線で接続して、自動音響調整システムを形成することも可能である。
【０１０５】
また、上述した実施の形態においては、ＡＶアンプ装置にこの発明の音響調整装置を適用した場合を例にして説明したが、これに限るものではない。ＡＶアンプ装置が内蔵するようにされた種々の音響再生装置を用いる場合に、この発明を適用することができる。
【０１０６】
また、図１〜図６を用いて説明した自動音響調整システムの場合には、ＡＶアンプ装置（音響調整装置）とホームサーバ装置（音響解析装置）とが１対１に対応するようにしたものであるが、これに限るものではなく、図７に示した外部のサーバ装置７を使用する場合と同様に、複数のＡＶアンプ装置と１つのホームサーバ装置とにより自動音響調整システムを構築することも可能である。
【０１０７】
この場合、ＡＶアンプ装置などの各マルチチャンネル音響再生装置毎に測定機能を持つ必要はないので、複数の部屋にあるマルチチャンネル音響再生装置と、ホームネットワークなどのネットワーク環境が整っている場合に、簡単に自動音響調整システムを構築することができる。
【０１０８】
そして、複数のＡＶアンプ装置についての音響解析を１つのサーバ装置で行うようにする場合には、処理能力や特性の異なる複数種類のＡＶアンプ装置などの音響機器が接続される可能性がある。この場合には、種類の異なるＡＶアンプ装置などの音響機器毎に、その音響機器に応じた音響解析を行って、その音響機器に対応した調整パラメータを形成して提供しなければならない。
【０１０９】
このため、ＡＶアンプ装置などの音響機器からは、自機の型番やシリアル番号など、その音響機器を特定し、その音響機器の処理能力や特性を特定することが可能な識別情報をテスト信号と収音音声からなる測定情報とともに音響解析装置であるサーバ装置に送信する。
【０１１０】
サーバ装置においては、ＡＶアンプ装置などの音響機器からの識別情報に基づいて、自己が備える装置データベースを参照し、その音響機器を特定し、その処理能力や特性に基づいて、測定情報の送信元の音響機器に応じた解析処理とパラメータ生成とを行うようにする。
【０１１１】
このようにすることによって、処理能力や特性の異なる種々のＡＶアンプ装置等の音響機器に対して、適切な調整パラメータを生成して提供することができる。なお、サーバ装置には、ＡＶアンプ装置などの音響機器の処理能力や特性を判別するための装置データベースが予め形成するようにされる。
【０１１２】
なお、ホームサーバ装置２、サーバ装置７は、音響解析装置としての機能だけを担うものに限るものではなく、他の種々の機能をも提供するものであってももちろんよい。
【０１１３】
すなわち、ホームサーバ装置２、サーバ装置７は、ＣＰＵ、ＲＯＭ、ＲＡＭ、ハードディスク装置、イーサネット（登録商標）等のＬＡＮシステムとの接続端子、公衆通信ネットワークとの接続端子、および通信Ｉ／Ｆなどを備えたコンピュータをそのまま用いることが可能であり、音響解析装置として機能するとともに、他の情報処理を行うものであってもよい。
【０１１４】
そして、ホームサーバ装置２、サーバ装置７において実現される、測定情報受付手段や調整情報提供手段は、通信ネットワークへの接続端子と通信Ｉ／Ｆとにより実現され、また、音響解析手段は、ＣＰＵ、ＲＯＭ、ＲＡＭなどからなる制御部において実行されるプログラムによって実現可能である。また、課金を行う課金手段も、制御部において実行されるプログラムによって実現可能である。
【０１１５】
また、上述した実施の形態においては、ＡＶアンプ装置１でピンクノイズなどのテスト信号を発生させ、このテスト信号も収音音声とともに、音響解析装置であるホームサーバ装置２、サーバ装置６に提供するものとして説明したが、これに限るものではない。
【０１１６】
ＡＶアンプ装置１において発生させるテスト信号と全く同じテスト信号を音響解析装置であるホームサーバ装置２、サーバ装置６で発生させることができれば、テスト信号をＡＶアンプ装置１からホームサーバ装置２、サーバ装置６に提供しないようにすることもできる。
【０１１７】
また、上述した実施の形態において、ＡＶアンプ装置１は、５．１チャンネルの音声信号に対応可能なものとして説明したがこれに限るものではない。モノラル（１チャンネル）、ステレオ（左右１チャンネルづつ）のものであってもよいし、それ以上のチャンネル数のものであってもよい。つまり、対応可能な音声チャンネル数の制限は無く、種々のチャンネル数の音響装置にこの発明を適用できる。
【０１１８】
また、前述した実施の形態においては、図２に示したように、テスト信号発声手段１７を設けるようにしたが、これに限るものではない。テスト信号は、例えばＤＳＰ１４において、所定の計算式を用いてピンクノイズやホワイトノイズなどの所定のテスト信号を発生させるようにしてもよい。
【０１１９】
【発明の効果】
以上説明したように、この発明によれば、音響調整装置に音響解析の負荷を負わせることが無く、音響調整装置と音響解析装置との接続が複雑になり手間取るなどの不都合を生じあせることなく、外部に設けられる音響解析装置の能力資源を用いて、迅速かつ正確に音響調整のための音響解析、調整パラメータの生成を行うようにすることができる。
【０１２０】
また、テスト信号の伝送遅延を考慮するのが難しく、正確な解析ができなくなってしまうなどの不都合を生じさせることもない。
【０１２１】
また、音響調整装置と音響解析装置とを近隣に設ける必要は全く無く、無理なく自動音響調整システムを構築することができる。
【図面の簡単な説明】
【図１】この発明による自動音響調整システムの一実施の形態が適用されて形成された自動音響調整システムを説明するための図である。
【図２】この発明による自動音響調整システムの一実施の形態が適用されて形成された自動音響調整システムの構成を説明するためのブロック図である。
【図３】この発明による音響調整装置の一実施の形態が適用されて構成されたＡＶアンプ装置を説明するためのブロック図である。
【図４】図１、図２に示した自動音響調整システムで行われる自動音響調整処理を説明するためのフローチャートである。
【図５】ＡＶアンプ装置１とホームサーバ装置２との間の情報のやり取りを含む自動音響調整システムの動作を説明するためのフローチャートである。
【図６】ＡＶアンプ装置１とホームサーバ装置２との間の情報のやり取りを含む自動音響調整システムの動作の他の例を説明するためのフローチャートである。
【図７】この発明による自動音響調整システムの他の例を説明するための図である。
【図８】従来の自動音響調整システムの一例（アンプに機能内蔵の例）を説明するための図である。
【図９】図８に示した自動音響調整システムで用いられるＡＶアンプ装置の構成例を示すブロック図である。
【図１０】従来の自動音響調整システムの他の例（外部コンピュータを用いる例）を説明するための図である。
【図１１】図１０に示した自動音響調整システムで用いられるＡＶアンプ装置の構成例を示すブロック図である。
【符号の説明】
１…ＡＶアンプ装置、１１…マイクアンプ部、１２…Ａ／Ｄ変換部、１３…インプットセレクタ、１４…ＤＳＰ、１５…Ｄ／Ａ変換部、１６…増幅部、１７…テスト信号発生部、１８…制御部、１８１…ＣＰＵ、１８２…ＲＯＭ、１８３…ＲＡＭ、１９…キー操作部、２０…リモコン信号受光部、２１…ＬＣＤ、２２…通信Ｉ／Ｆ、２３…入出力端子、２…ホームサーバ装置、３…公衆通信網、４…ＩＳＰ、５…インターネット、６…サーバ装置
【図１】
2004159037.tif 000003
【図２】
2004159037.tif 000004
【図３】
2004159037.tif 000005
【図４】
2004159037.tif 000006
【図５】
2004159037.tif 000007
【図６】
2004159037.tif 000008
【図７】
2004159037.tif 000009
【図８】
2004159037.tif 000010
【図９】
2004159037.tif 000011
【図１０】
2004159037.tif 000012
【図１１】
2004159037.tif 000013